(57)【要約】【課題】障子の室内側下部から下枠の上面に落下した結露水が室内側に溢れて室内が濡れるのを防止する。【解決手段】上下枠２ａ，２ｂ及び左右の縦枠２ｃ，２ｄからなる枠２と、該枠２内に左右方向に開閉可能に設けられた障子３，４とを備え、前記下枠２ｂの上面１２を略平坦面に形成し、室内側に位置する障子３の室外側下部に垂下片１７を設け、前記下枠２ｂの上面１２に前記垂下片１７を案内する案内溝２０を設け、前記下枠２ｂの上面に前記障子３の室内側下部５０から落下する結露水を受ける浅い水受溝５１を設け、該水受溝５１から室外に連通した下枠２ｂ内の空間部３３へ排水するための排水弁５２を設け、該排水弁５２を経由して結露水が室内側から室外へ排水される。【選択図】          図６
2004339847.tif 000002
【特許請求の範囲】
【請求項１】
上下枠及び左右の縦枠からなる枠と、該枠内に左右方向に開閉可能に設けられた障子とを備え、前記下枠の上面を略平坦面に形成し、室内側に位置する障子の室外側下部に垂下片を設け、前記下枠の上面に前記垂下片を案内する案内溝を設け、前記下枠の上面に前記障子の室内側下部から落下する結露水を受ける浅い水受溝を設け、該水受溝から室外に連通した下枠内の空間部へ排水するための排水弁を設け、該排水弁を経由して結露水が室内側から室外へ排水されることを特徴とする開口部装置。
【請求項２】
上下枠及び左右の縦枠からなる枠と、該枠内に左右方向に開閉可能に設けられた障子とを備え、前記下枠の上面を略平坦面に形成し、室内側に位置する障子の室外側下部に垂下片を設け、前記下枠の上面に前記垂下片を案内する案内溝を設け、前記下枠の上面に前記障子の室内側下部から落下する結露水を受ける浅い水受溝を設けると共に該水受溝の一端に障子の全開位置を規制するストッパーを設け、水受溝のストッパーで隠れた部分から室外に連通した下枠内の空間部へ排水するための排水弁を設け、該排水弁を経由して結露水が室内側から室外へ排水されることを特徴とする開口部装置。
【発明の詳細な説明】
【０００１】
【発明の属する技術分野】
本発明は、開口部装置に係り、特に下枠の上面がバリアフリーの略平坦面に形成され、該下枠の上面には室内側の障子の室外側下部の垂下片を案内する案内溝が設けられた開口部装置に関する。
【０００２】
【従来の技術】
開口部装置としては、例えば特許文献１に記載されているように、建築物の屋外開口部に設けられる上下枠及び左右の縦枠からなる枠と、該枠内の前記下枠上に戸車を介して左右方向にスライド開閉可能に設けられた引違い障子とを備え、前記下枠の上面を略平坦面に形成し、内外の障子の室内側下部に垂下片を設け、前記下枠の上面に前記垂下片を案内する案内溝を設けたバリアフリー構造の下枠フラットサッシ（下枠上面に突出したレールが無いのでノンレールサッシともいう）が知られている。このサッシの場合、障子の室内面に生じた結露水が垂下片を伝わって案内溝内に流下するため、案内溝内から室外に連通した下枠内の空間部へ排水するための排水弁を設けることにより室内外の気密性を保ちつつ結露水を室内側から室外側へ排水することが可能である。
【０００３】
一方、下枠フラットサッシとしては、室内側に位置する障子（例えば内障子）の室外側下部に垂下片を設け、前記下枠の上面に前記垂下片を案内する案内溝を設けたものが本出願人により提案されている。
【０００４】
【特許文献１】
特開２００２−２２７５４６号公報
【０００５】
【発明が解決しようとする課題】
しかしながら、前記サッシの場合、前記障子の室内面に生じた結露水が当該障子の室内側下部から下枠の上面に落下し、下枠の上面から結露水が室内側に溢れ、室内を濡らす恐れがある。
【０００６】
本発明は、前記事情を考慮してなされたもので、障子の室内側下部から下枠の上面に落下した結露水が室内側に溢れて室内が濡れるのを防止することができる開口部装置を提供することを目的とする。
【０００７】
【課題を解決するための手段】
本発明のうち、請求項１の発明は、上下枠及び左右の縦枠からなる枠と、該枠内に左右方向に開閉可能に設けられた障子とを備え、前記下枠の上面を略平坦面に形成し、室内側に位置する障子の室外側下部に垂下片を設け、前記下枠の上面に前記垂下片を案内する案内溝を設け、前記下枠の上面に前記障子の室内側下部から落下する結露水を受ける浅い水受溝を設け、該水受溝から室外に連通した下枠内の空間部へ排水するための排水弁を設け、該排水弁を経由して結露水が室内側から室外へ排水されることを特徴とする。
【０００８】
請求項２の発明は、上下枠及び左右の縦枠からなる枠と、該枠内に左右方向に開閉可能に設けられた障子とを備え、前記下枠の上面を略平坦面に形成し、室内側に位置する障子の室外側下部に垂下片を設け、前記下枠の上面に前記垂下片を案内する案内溝を設け、前記下枠の上面に前記障子の室内側下部から落下する結露水を受ける浅い水受溝を設けると共に該水受溝の一端に障子の全開位置を規制するストッパーを設け、水受溝のストッパーで隠れた部分から室外に連通した下枠内の空間部へ排水するための排水弁を設け、該排水弁を経由して結露水が室内側から室外へ排水されることを特徴とする。
【０００９】
【発明の実施の形態】
以下に、本発明の実施の形態を添付図面に基いて詳述する。図１は本発明の実施の形態の開口部装置を概略的に示す室内側正面図、図２は図１の横断面図、図３は図１の縦断面図である。図４は気密構造を説明するための概略的斜視図、図５及び図６は召内框下部の気密構造を説明するための概略的斜視図である。図７は第１実施形態の要部縦断面図、図８は同要部横断面図である。図９は排水弁の一例を示す図で、（ａ）は排水時の断面図、（ｂ）は逆流防止時の断面図である。
【００１０】
図１〜図３，図７において、１は開口部装置である下枠フラットサッシ（ノンレールサッシ）で、このサッシ１は、建築物の屋外開口部に取付けられる上下枠（上枠と下枠）２ａ，２ｂおよび左右の縦枠２ｃ，２ｄからなる枠２と、該枠２内に左右方向にスライド開閉可能に取付けられた障子（実施例では引違い障子）３，４とを備えている。枠２の室外側には網戸５が左右方向にスライド開閉可能に取付けられている。上枠２ａ、下枠２ｂおよび左右の縦枠２ｃ，２ｄは、例えばアルミ押出形材からなっている。
【００１１】
前記内障子３は、例えばアルミ押出形材からなる上下框（上框と下框）６ａ，６ｂおよび左右の縦框（召し合せ框と戸先框）６ｃ，６ｄからなる框６内にガラスパネル７を装着してなる。前記外障子４は、例えばアルミ押出形材からなる上下框（上框と下框）８ａ，８ｂおよび左右の縦框（召し合せ框と戸先框）８ｃ，８ｄからなる框８内にガラスパネル９を装着してなる。下框６ｂ，８ｂには戸車１０，１１が取付けられ、この戸車１０，１１を介して障子３，４が下枠２ｂの上面１２にスライド開閉可能に支持されている。戸車１０，１１には障子３，４の高さ調整を行う図示しない建て付け調整機構が設けられている。
【００１２】
前記下枠２ｂの上面１２は略平坦面に形成され、室外側に配置した排水用グレーチング１３やバルコニー等のデッキ部１４と、室内側の床部１５とが下枠２ｂの上面１２と略水平に形成され、バリアフリー構造になっている。グレーチング１３の下には排水溝１６が設けられている。下枠２ｂの上面１２の戸車１０，１１が走行する部分は戸車１０，１１を案内すべく若干凹面に形成されていても良い。
【００１３】
内障子（室内側に位置する障子）３の室外側下部にはその長手方向全長に亘って垂下片（第１垂下片）１７が設けられ、外障子（室外側に位置する障子）４の室内側下部にその長手方向全長に亘って垂下片（第２垂下片１８）が設けられている。前記垂下片１７，１８は戸車１０，１１の下端よりも下方に延出されている。前記下枠２ｂの上面１２には２つの前記垂下片１７，１８を案内する幅の狭い案内溝（第１案内溝と第２案内溝）２０，２１が下枠の長手方向全長に亘って設けられている。前記網戸５の下部には下枠２ｂの上面１２を走行する戸車２２が取付けられ、網戸５の下部にはその長手方向全長に当って垂下片２３が設けられ、下枠２ｂの上面１２には垂下片２３を案内する案内溝２４が設けられている。
【００１４】
また、下枠２ｂ内にはこれを上下に仕切る隔壁２５が設けられ、該隔壁２５の上部には各案内溝２０，２１と連通した幅の広い溝部（第１溝部と第２溝部）２６，２７が隔壁２５からの３つの立上り壁（第１立上り壁、第２立上り壁、第３立上り壁）２８，２９，３０によって形成されている。隔壁２５の上部には前記立上り壁２８，２９，３０によって第１溝部２６と第２溝部２７の他に室内側溝部３１と室外側溝部３２が形成されている。隔壁２５の下部は空間部３３とされ、該空間部３３は下枠２ｂの室外壁に設けた排水口３４を通して室外の排水溝１６と連通されている。前記第１溝部２６と第２溝部２７の底部（隔壁２５）には閉鎖状態の障子３，４よりも室外側空間と前記下枠２ｂの空間部３３とを連通する排水孔３５，３６が設けられている。前記下枠２ｂの空間部３３は図示例の場合、中空部（ホロー部）からなっているが、これに限定されない。
【００１５】
前記少なくとも上部が開放された第１，第２溝部２６，２７の清掃性を向上させるために、下枠２ｂの上面１２は横断面で見て３つのカバー材（室内側カバー材、中央カバー材、室外側カバー材）３７，３８，３９により着脱可能に構成されている。室内側カバー材３７は室内側溝部３１の上面を覆うように形成され、内障子３をスライド開閉可能に支持している。室内側カバー材３７の一側部は室内側溝部３１の底部に支持され、他側部は第１立上り壁２８に支持されている。この室内側カバー材３７の他側部に後述する第１横気密材４２の取付溝が形成されている。室内側カバー材３７は固着具例えばネジ４０で隔壁２５に着脱可能に取付けられている。
【００１６】
中央カバー材３８は、第２立上り壁２９および第３立上り壁３０を有し、第２立上り壁２９に後述する第２横気密材４３の取付溝が形成されている。室外側カバー材３９は室外側溝部３２の上面を覆うように形成され、外障子４をスライド開閉可能に支持している。室外側カバー材３９の一側部は室外側溝部３２の底部に支持され、他側部は第３立上り壁３０に支持されている。中央カバー材３８および室外カバー材３９は共に、固着具例えばネジ４１により隔壁２５に着脱可能に取付けられている。
【００１７】
サッシ１の室内側と室外側を気密に遮断するために、枠２と閉鎖時の障子３，４により両者の間に連続した気密ライン（止水ラインともいう）を如何に形成するかが重要となる。本実施例では、図４〜図７にも示すように前記下枠２ｂにおける閉鎖状態の障子３，４の各垂下片１７，１８と案内溝２０，２１の室内側縁部との間に軟質樹脂製の横気密材（第１横気密材と第２横気密材）４２，４３が設けられている。前記横気密材４２，４３は各案内溝２０，２１の室内側縁部（気密材取付溝）に取付けられ、各横気密材４２，４３に対して各垂下片１７，１８が室外側から接している。
【００１８】
前記第１横気密材４２と第２横気密材４３のそれぞれの一端部は、閉鎖位置の障子３，４の召し合せ框６ｃ、８ｃの位置で切断されており、下枠２ｂの第１案内溝２０を含む第１溝部２６内の長手方向略中央部（召し合せ框の位置）に配置された軟質樹脂製の召し合せ框下部止水ブロック（召し合せ下部溝塞ぎ）４４と、第２立上り壁２９の上部に配置された下枠風止め部材５６と、内障子３の召し合せ框６ｃの端部に設けられた樹脂製の召し合せ気密ピース４５とを介して接続される。前記召し合せ框下部止水ブロック４４は、第１案内溝２０の左右を室内空間と室外空間とに分けている。召し合せ框下部止水ブロック４４は、第１横気密材４２と同様に気密材取付溝に取付けられて第１案内溝２０に配置される上部止水部４４ａを有している。
【００１９】
前記召し合せ気密ピース４５の下端部は下枠２ｂの上面１２と対応する形状に形成され、垂下片１７と同様に第１案内溝２０内に垂下されて召し合せ框下部止水ブロック４４に接する垂下片部４５ａを有している。召し合せ気密ピース４５は高さ調整可能（建て付け調整可能）に取付けられている。また、第１横気密材４２の端部と縦枠２ｄの縦気密材４６の下端部とは下枠端部立上り部材４７と縦枠下部気密ピース４８を介して接続されており、第２横気密材４３の端部と縦枠２ｃの縦気密材４９の下端部とは接続されている。これにより連続した気密ライン（止水ライン）が形成されている。
【００２０】
このように室内外の気密性が確保されているため、冬期などには室内外の温度差が大きくなり、障子３，４の室内面に結露水が生じる場合があり、内障子３の室内面に生じた結露水は内障子３の室内側下部（下縁部）５０から下枠２ｂの上面１２に落下する。下枠２ｂの上面１２に落下した結露水が室内に流れ込むのを防止するために、換言すれば、室内外の気密性を保持しつつ前記結露水を室外に排水するために、前記下枠２ｂの上面１２には前記内障子３の室内側下部（下縁部）５０から落下する結露水を受ける深さの浅い水受溝５１が下枠２ｂの長手方向全長に亘って設けられ、該水受溝５１から室外に連通した前記下枠２ｂ内の空間部３３へ排水するための排水弁５２が設けられ、該排水弁５２を経由して結露水が室内側から室外へ排水されるようになっている。前記内障子３の室内側下部（垂下片ともいう）５０は、前記水受溝５１の真上にある。
【００２１】
好ましくは、図７ないし図８に示すように、前記下枠２ｂの上面１２には前記水受溝５１が設けると共に該水受溝５１の一端に内障子３の全開位置を規制するストッパー５３が設けられ、水受溝５１のストッパー５３で隠れた部分から室外に連通した下枠２ｂ内の空間部３３へ排水するための排水弁５２が設けられている。本実施例（第１実施形態）では、前記水受溝５１のストッパー５３で隠れた部分に排水孔５４が設けられ、水受溝５１の下方の室内側溝部３１の隔壁２５に排水弁５２が取付けられている。前記内障子３の室内側下部（下縁部）５０は下框６ｂの長手方向に沿って内障子３の全長に亘って設けられている（縦通し框の場合、縦框６ｃ、６ｄの室内側下端部を含む）。前記内障子３の室内側下部（下縁部）５０は水受溝５１に近接していることが戸車１０を隠せて意匠性の向上が図れる点で好ましい。
【００２２】
前記排水弁５２は、例えば図９の（ａ），（ｂ）に示すように下枠２ｂの隔壁２５に設けた開口部５５に取付けられる本体５２ａと、この本体５２ａに開閉可能に取付けられた弁体５２ｂとから主に構成されている。通常は、図９の（ａ）に示すように弁体５２ｂが下方に開いた隙間５２ｃから結露水が排水されるが、図９の（ｂ）に示すように室外側からの風圧により弁体５２ｂが上方に閉じて水の逆流を防止するようになっている。
【００２３】
一方、図８の破線で示すように第１立上り壁２８の端部を切り欠いて第１溝部２６と室内側溝部３１とを連通させることにより、一点鎖線の矢印で示すように外障子４の室内面から垂下片１８を伝わって下枠２ｂの上面１２に流下し、更に第１案内溝２０から第１溝部２６に流入した結露水が、第１溝部２６から室内側溝部３１の排水弁５２に至り、該排水弁５２を経由して室外へ排水されるようになっている。
【００２４】
以上の構成からなるサッシ１によれば、内障子３の室内面に生じた結露水は、内障子３の室内面を流下して室内側下部５０に至り、該室内側下部５０から下枠２ｂの上面１２の水受溝５１内に落下して収容される。そして、前記結露水は、水受溝５１内をストッパー５３の下まで流れ込んで排水孔５４の位置に至り、該排水孔５４から室内側溝部３１内に落下し、該室内側溝部３１内を流れて排水弁５２の位置に至り、該排水弁５２から下枠２ｂの空間部３３に排水され、更に該下枠２ｂの空間部３３から排水口３４を通って室外の排水溝部１６に排水される。
【００２５】
前記サッシ１によれば、前記下枠２ｂの上面１２を略平坦面に形成し、内障子３の室外側下部に垂下片１７を設け、前記下枠２ｂの上面１２に前記垂下片１７を案内する案内溝２０を設け、前記下枠２ｂの上面１２に前記内障子３の室内側下部５０から落下する結露水を受ける浅い水受溝５１を設け、該水受溝５１から室外に連通した下枠２ｂ内の空間部３３へ排水するための排水弁５２を設け、該排水弁５２を経由して結露水が室内側から室外へ排水されるため、内障子３の室内側下部５０から下枠２ｂの上面１２に落下した結露水が室内側に流れて室内が濡れるのを防止することができる。
【００２６】
特に、前記下枠２ｂの上面１２に前記内障子３の室内側下部５０から落下する結露水を受ける浅い水受溝５１を設けると共に該水受溝５１の一端に内障子３の全開位置を規制するストッパー５３を設け、水受溝５１のストッパー５３で隠れた部分から室外に連通した下枠２ｂ内の空間部３３へ排水するための排水弁５２を設け、該排水弁５２を経由して結露水が室内側から室外へ排水されるため、内障子３の室内側下部５０から下枠２ｂの上面１２に落下した結露水が室内側に溢れて室内が濡れるのを防止することができ、しかも、排水弁５２等の排水部（排水孔５４を含む）がストッパー５３で隠れ、排水部である排水弁５２や排水孔５４が露出しないので意匠性の向上が図れる。
【００２７】
前記排水弁５２によって、室外から風が室内に入り込んだり、水が逆流したりするのを防止することができ、室内外の気密性（水密性を含む）を保ったまま室内の結露水を室外に円滑に排水することができる。また、下枠２ｂの室内側上面に設けた水受溝５１は深さが浅いため、掃除が容易にできると共に、見栄え（意匠性）も良い。
【００２８】
図１０は第２実施形態の要部縦断面図、図１１は同要部横断面図である。これらの図において、前記実施例と同一部分は同一符号を付して説明を省略する。本実施例では結露水を受ける水受溝５１のストッパー５３下に隠れた部分に排水弁５２が設けられ、水受溝５１の下方の隔壁２５には室外と連通する下枠２ｂの空間部３３に結露水を排水するための排水孔５４が設けられている。本実施例においても、前記実施例と同様の作用効果が得られる。
【００２９】
以上、本発明の実施の形態を図面により詳述してきたが、本発明は前記実施の形態に限定されるものではなく、本発明の要旨を逸脱しない範囲での種々の設計変更等が可能である。例えば、本発明が適用される開口部装置としては、引違いサッシ以外に、引戸（片引戸）であっても良い。
【００３０】
【発明の効果】
以上要するに本発明によれば、次のような効果を奏することができる。
【００３１】
（１）請求項１の発明によれば、上下枠及び左右の縦枠からなる枠と、該枠内に左右方向に開閉可能に設けられた障子とを備え、前記下枠の上面を略平坦面に形成し、室内側に位置する障子の室外側下部に垂下片を設け、前記下枠の上面に前記垂下片を案内する案内溝を設け、前記下枠の上面に前記障子の室内側下部から落下する結露水を受ける浅い水受溝を設け、該水受溝から室外に連通した下枠内の空間部へ排水するための排水弁を設け、該排水弁を経由して結露水が室内側から室外へ排水されるため、障子の室内側下部から下枠の上面に落下した結露水が室内側に流れて室内が濡れるのを防止することができる。
【００３２】
（２）請求項２の発明によれば、上下枠及び左右の縦枠からなる枠と、該枠内に左右方向に開閉可能に設けられた障子とを備え、前記下枠の上面を略平坦面に形成し、室内側に位置する障子の室外側下部に垂下片を設け、前記下枠の上面に前記垂下片を案内する案内溝を設け、前記下枠の上面に前記障子の室内側下部から落下する結露水を受ける浅い水受溝を設けると共に該水受溝の一端に障子の全開位置を規制するストッパーを設け、水受溝のストッパーで隠れた部分から室外に連通した下枠内の空間部へ排水するための排水弁を設け、該排水弁を経由して結露水が室内側から室外へ排水されるため、障子の室内側下部から下枠の上面に落下した結露水が室内側に溢れて室内が濡れるのを防止することができ、しかも、排水弁等の排水部がストッパーで隠れるので意匠性の向上が図れる。
【図面の簡単な説明】
【図１】本発明の実施の形態の開口部装置を概略的に示す室内側正面図である。
【図２】図１の横断面図である。
【図３】図１の縦断面図である。
【図４】気密構造を説明するための概略的斜視図である。
【図５】召内框下部の気密構造を説明するための概略的斜視図である。
【図６】召内框下部の気密構造を説明するための概略的斜視図である。
【図７】第１実施形態の要部縦断面図である。
【図８】同要部横断面図である。
【図９】排水弁の一例を示す図で、（ａ）は排水時の断面図、（ｂ）は逆流防止時の断面図である。
【図１０】第２実施形態の要部縦断面図である。
【図１１】同要部横断面図である。
【符号の説明】
１  サッシ（開口部装置）
２  枠
２ａ  上枠
２ｂ  下枠
２ｃ，２ｄ  縦枠
３  内障子
４  外障子
１２  下枠の上面
１７  垂下片
２０  案内溝
３３  空間部
５０  内障子の室内側下部
５１  水受溝
５２  排水弁
５３  ストッパー
【図１】
2004339847.tif 000003
【図２】
2004339847.tif 000004
【図３】
2004339847.tif 000005
【図４】
2004339847.tif 000006
【図５】
2004339847.tif 000007
【図６】
2004339847.tif 000008
【図７】
2004339847.tif 000009
【図８】
2004339847.tif 000010
【図９】
2004339847.tif 000011
【図１０】
2004339847.tif 000012
【図１１】
2004339847.tif 000013